(57)【特許請求の範囲】
【請求項１】
ピットカバーと、ピットカバーの下方に位置してダイナモメータが連結された複数のローラと、ローラに駆動輪が載置された車両のホイールハブとピットカバーを連結して車両を拘束する拘束機構と、から構成される実車走行試験装置において、
前記拘束機構は、
ホイールハブの軸心に接続される第一回転部と、第一回転部と離れた位置にある第二回転部と、第一回転部と第二回転部を繋ぐリンク片と、から構成される偏心リンクと、
ピットカバーに対して回転自在に装着された二つの回転固定部と、
偏心リンクの第一回転部と一方の回転固定部および偏心リンクの第二回転部と他方の回転固定部に両端がそれぞれ連結され、ダンパーを備えている二つのロッドと、を備えている実車走行試験装置。
【発明の詳細な説明】
【技術分野】
【０００１】
本発明はダイナモメータが連結された複数のローラに駆動輪を載置して実車走行試験をおこなう実車走行試験装置に関するものである。
【背景技術】
【０００２】
実車の動力性能や燃費性能のほか、冷却性能、空調性能、耐寒性能、騒音性能など、実車の多様な性能を測定する試験装置として、ダイナモメータが連結された複数のローラに駆動輪を載置して実車走行試験をおこなう実車走行試験装置が用いられている。
【０００３】
実車走行試験装置は、当該装置を構成するピットカバーの下方に位置してダイナモメータが連結された複数のローラ上に載置され、車両のタイヤハブとピットカバーを固定機構にて連結しておこなわれる。そして、この試験装置では、牽引フックやホイールハブを使用して、ローラ上に載置された車両を評価に応じた態様にて車両を拘束しながら種々の計測が実施されている。
【０００４】
実車走行試験装置における車両の拘束方法は、牽引フックやトルクボックス穴、サイドシルを使用して車両自体を拘束する方法や、ホイールハブに連結具（アタッチメント）を装着してホイールを拘束する方法に大別され、評価内容によって拘束方法が使い分けされている。
【０００５】
たとえば、熱流れや音を測定する際には車両周囲の空気の流れや音の反射を車両拘束装置によって阻害されない措置が必要になることから、このような場合にはホイールハブクランプ方法（ホイール拘束方法）が一般に選定される。
【０００６】
車両の拘束方法がホイールハブクランプによる方法の場合、ホイールハブアダプタに内蔵されているベアリングの摺動にともなう引きずり抵抗（フリクションロス）や、ホイールハブアダプタ自体の重量による仕事量誤差の発生が課題となっている。
【０００７】
このようなフリクションロスや仕事量誤差により、燃費やエミッションの計測精度が低下する。また、ベアリング部は車両の左右方向の動きからスラスト力を受ける構造になっていないことより、繰り返し荷重が作用することでベアリング部の耐久性が低下する。
【０００８】
車輪の回転にともなってホイールの軸とロッドの端部のホイールハブに連結される連結部の軸がずれ、このことによって連結部（ベアリング）の摺動抵抗が変化する。中でも、車両を急加減速した際に車両が大きく動くことから連結部の摺動抵抗の変化は一層激しくなる。
【０００９】
ここで、特許文献１には、タイヤハブに固定される軸受装置、床面に固定される固定部、軸受装置と固定部との間に配設されるロッド部を備え、軸受装置は自動車の側面において取付部に対して移動可能な可動部を有し、ロッド部は本体部の両端に配設される各ロッドエンドベアリング部を伸縮可能なロッドを介してタイヤハブを固定する車両固定システムが開示されている。
【先行技術文献】
【特許文献】
【００１０】
【特許文献１】特開２０１５−１２１４６５号公報
【発明の概要】
【発明が解決しようとする課題】
【００１１】
特許文献１に開示の車両固定システムによれば、車両に対する下方向の外力が加わることを抑制することが可能になるとしている。
【００１２】
しかしながら、このシステムを適用した場合であっても、上記する課題、すなわち、ロッドと、ロッドの一端にあってホイールハブに連結される連結部と、ロッドの他端にあってピットカバーに固定される固定部と、から構成される拘束装置によってホイールハブが強固に拘束されていることにより、ホイールハブに連結される連結部を構成する回転部（ベアリング等）に繰り返し荷重が作用して回転部が破損するといった課題を解消することはできない。
【００１３】
また、装置上の車両の急加減速の際の車両の動きにともない、車両を拘束する連結部の軸とホイールの軸がずれ、このことによって回転部の摺動抵抗が変化するとともに、連結部の重量による仕事量誤差の発生を解消することはできない。
【００１４】
本発明は上記する問題に鑑みてなされたものであり、ロッドと、ロッドの一端にあってホイールハブに連結される連結部と、ロッドの他端にあってピットカバーに固定される固定部と、から構成される拘束機構を備えた実車走行試験装置に関し、試験の際に連結部に作用する繰り返し荷重によって連結部が破損せず、また、試験の際に車両を拘束する連結部の軸とホイールの軸がずれ、連結部の摺動抵抗が変化するとともに連結部の重量によって仕事量誤差が生じない実車走行試験装置を提供することを目的とする。
【課題を解決するための手段】
【００１５】
前記目的を達成すべく、本発明による実車走行試験装置は、ピットカバーと、ピットカバーの下方に位置してダイナモメータが連結された複数のローラと、ローラに駆動輪が載置された車両のホイールハブとピットカバーを連結して車両を拘束する拘束機構と、から構成される実車走行試験装置において、前記拘束機構は、ホイールハブの軸心に接続される第一回転部と、第一回転部と離れた位置にある第二回転部と、第一回転部と第二回転部を繋ぐリンク片と、から構成される偏心リンクと、ピットカバーに対して回転自在に装着された二つの回転固定部と、偏心リンクの第一回転部と一方の回転固定部および偏心リンクの第二回転部と他方の回転固定部に両端がそれぞれ連結され、ダンパーを備えている二つのロッドと、を備えているものである。
【００１６】
本発明による実車走行試験装置は、実車走行試験装置を構成する拘束機構が、ホイールハブの軸心に接続される偏心リンクを備えていること、および、ロッドがダンパーを備えていること、に特徴を有するものである。
【００１７】
本発明の実車走行試験装置は、実車の動力性能や燃費性能、冷却性能、空調性能、耐寒性能、騒音性能など、実車の多様な性能の測定に供される。たとえば騒音性能の測定の際には、ピットカバーの適所に音測定用マイクが配設される。
【００１８】
ここで、拘束機構を構成するロッドに内蔵されたダンパーには、油圧シリンダーやエアシリンダー等が挙げられる。
【００１９】
拘束機構は、ホイールハブの軸心に接続される第一回転部と、第一回転部と離れた位置にある第二回転部と、第一回転部と第二回転部を繋ぐリンク片と、から構成される偏心リンクと、ピットカバーに対して回転自在に装着された二つの回転固定部と、偏心リンクの第一回転部と一方の回転固定部および偏心リンクの第二回転部と他方の回転固定部に両端がそれぞれ連結され、ダンパーを備えている二つのロッドから構成されている。
【００２０】
拘束機構を構成する二つのロッドがそれぞれダンパーを備えていることにより、実車走行試験の際にホイールハブに連結される連結部（偏心リンク）に繰り返し荷重が作用した場合でも、ダンパーによるダンピング作用によって偏心リンクが破損するのを効果的に解消することができる。
【００２１】
また、ホイールハブの軸心に接続される連結部が、ホイールハブの軸心に接続される第一回転部と、第一回転部と離れた位置にある第二回転部と、第一回転部と第二回転部を繋ぐリンク片と、から構成される偏心リンクから構成されることにより、ホイールハブの回転時に第一回転部はホイールハブの軸心と一致させることができる。
【００２２】
さらに、車輪（ホイール）の回転によって下方に移動した第二回転部がリンク片を介して第一回転部を上方に押し上げることにより、拘束機構の重量が押し上げ力にて減殺もしくは相殺され、拘束機構の重量による仕事量誤差を解消することができる。
【発明の効果】
【００２３】
以上の説明から理解できるように、本発明の実車走行試験装置によれば、実車走行試験装置を構成する拘束機構の有するロッドがダンパーを備えていることにより、実車走行試験の際にホイールハブに連結される偏心リンクに繰り返し荷重が作用した場合でも、ダンパーによるダンピング作用によって偏心リンクが破損するのを効果的に解消することができる。
【００２４】
さらに、拘束機構がホイールハブの軸心に接続される偏心リンクを備えていることにより、ホイールハブの回転時に第一回転部はホイールハブの軸心と一致させることができ、下方に移動した第二回転部が第一回転部を押し上げることにより、拘束機構の重量が押し上げ力にて減殺もしくは相殺され、拘束機構の重量による仕事量誤差を解消することができる。
【図面の簡単な説明】
【００２５】
【図１】本発明の実車走行試験装置の側面図である。
【図２】図１のII方向の矢視図であって実車走行試験装置の平面図である。
【図３】（ａ）は車輪停車時の拘束機構を示した模式図であり、（ｂ）は車輪回転時の拘束機構を示した模式図である。
【発明を実施するための形態】
【００２６】
以下、図面を参照して本発明の実車走行試験装置の実施の形態を説明する。
【００２７】
（実車走行試験装置の実施の形態）
図１は本発明の実車走行試験装置の側面図であり、図２は図１のII方向の矢視図であって実車走行試験装置の平面図であり、図３（ａ）は車輪停車時の拘束機構を示した模式図であり、図３（ｂ）は車輪回転時の拘束機構を示した模式図である。
【００２８】
図１，２で示す実車走行試験装置１０は、実車の動力性能や燃費性能、冷却性能、空調性能、耐寒性能、騒音性能など、実車の多様な性能の測定に供される。
【００２９】
実車走行試験装置１０は、ピットカバー１と、ピットカバー１の下方に位置してダイナモメータが連結された複数のローラ２と、ローラ２に駆動輪が載置された車両ＣのホイールハブＨとピットカバー１を連結して車両Ｃを拘束する拘束機構３と、から大略構成されている。
【００３０】
ピットカバー１のうち、四つのローラ２に対応する位置には開口が設けてあり、各ローラ２に対して車両Ｃの車輪が載置されるようになっている。
【００３１】
拘束機構３は、ピットカバー１に対して回転自在に装着された二つの回転固定部４と、偏心リンク６と、各回転固定部４と偏心リンク６を繋ぐ二つのロッド５から構成されている。
【００３２】
偏心リンク６は、ホイールハブの軸心Ｈ１に接続される第一回転部６ａと、第一回転部６ａと離れた位置にある第二回転部６ｂと、第一回転部６ａと第二回転部６ｂを繋ぐリンク片６ｃと、から構成される。
【００３３】
各ロッド５はそれぞれ、油圧シリンダーを備えている。
【００３４】
拘束機構３を構成する二つのロッド５がそれぞれ油圧シリンダーを備えていることにより、実車走行試験の際にホイールハブＨに連結される偏心リンク６（の第一回転部６ａ）に繰り返し荷重が作用した場合でも、油圧シリンダーによるダンピング作用により、繰り返し荷重が緩和される。
【００３５】
また、ホイールハブの軸心Ｈ１に拘束機構３を構成する偏心リンク６の第一回転部６ａが接続されることにより、ホイールハブＨの回転時においても偏心リンク６とホイールハブの軸心Ｈ１を一致させることができる。
【００３６】
さらに、図３（ｂ）で示すように、車輪（ホイール）の回転によって下方に移動した第二回転部６ｂは、リンク片６ｃを介して第一回転部６ａを上方に押し上げる押し上げ力Ｐを第一回転部６ａに付与することができる。
【００３７】
より具体的には、ホイールが回転した際に、ホイールハブに連結される第一回転部６ａにつれ回りトルクが発生する。
【００３８】
この際、偏心リンク６と図３（ｂ）における左側のロッド５に内蔵される油圧シリンダーによる左側のロッド５の収縮により、左側のロッド５が右側のロッド５の下方へ回り込む。
【００３９】
ロッド５は回転固定部４を介してピットカバー１に堅固に固定されていることから、このピットカバー１で反力を取りながら、左側のロッド５から偏心リンク６を介してホイールハブＨに押し上げ力Ｐが付与されることになる。
【００４０】
この押し上げ力Ｐにより、二つの拘束機構３の重量Ｗが減殺もしくは相殺され、拘束機構３の重量による仕事量誤差を解消することができ、精度の高い実車走行試験結果を得ることが可能になる。
【００４１】
なお、従来の試験装置では、図示する実車走行試験装置１０のように偏心リンク６を備えていないことから押し上げ力Ｐを生ぜしめることはできず、したがって、従来装置の備える拘束機構を構成するロッド等の重量がホイールハブに作用する結果、被測定対象の車量の重量が実際の車両重量に比して大きくなり、この重量増に起因して仕事量が多くなっていた。このように仕事量が多くなる結果、車両の燃費計測やエミッション計測の精度に大きな影響が生じていた。
【００４２】
実車走行試験装置１０によれば、その構成要素である拘束機構３の有するロッド５がダンパーを備えていることにより、実車走行試験の際にホイールハブＨに連結される偏心リンク６に繰り返し荷重が作用した場合でも、ダンパーによるダンピング作用により、偏心リンク６が破損するのが解消される。また、偏心リンク６を備えていることにより、ホイールハブＨの回転時に偏心リンク６からホイールハブＨへ作用する押し上げ力Ｐによって拘束機構３の重量Ｗを相殺することができ、拘束機構３の重量Ｗに起因する仕事量誤差を解消できる。
【００４３】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４４】
１…ピットカバー、２…ローラ、３…拘束機構、４…回転固定部、５…ロッド、６…偏心リンク、６ａ…第一回転部、６ｂ…第二回転部、６ｃ…リンク片、１０…実車走行試験装置、Ｃ…車両、Ｈ…ホイールハブ、Ｈ１…ホイールハブの軸心
【図１】
0006424798.tif 000002
【図２】
0006424798.tif 000003
【図３】
0006424798.tif 000004